(57)【要約】【課題】簡素な加工設備であっても精度よく且つ容易に加工を施すことができる建具を提供する。【解決手段】建具１０は、枠体１２で障子１４，１５をスライド可能に支持する構成であって、下枠１２ｂの中間見付け片３１は、その長手方向の一部に、中間見付け片３１の室外側と室内側とを連通し、中間見付け片３１の上端面３１ａまで開口した開口部３４を有する。この下枠１２ｂには、障子１４が走行するレール部３５ａと、開口部３４を跨いだ状態で中間見付け片３１の上端面３１ａに沿って配置されることで中間見付け片３１の上端面３１ａ上で起立した中間延出片３５ｂとを有するアタッチメント部材３５が装着されると共に、中間延出片３５ｂが障子１４に装着された気密材５５の当接面となる。【選択図】図４
2019082042.tif 000002
【特許請求の範囲】
【請求項１】
上枠、下枠及び左右の縦枠を有する枠体で障子をスライド可能に支持する建具であって、
前記下枠は、見込み面の室外側位置で起立した室外側見付け片と、前記見込み面の室内側位置で起立した室内側見付け片と、前記見込み面の前記室外側見付け片と前記室内側見付け片との間で起立した少なくとも１つの中間見付け片と、を有し、
前記中間見付け片は、その長手方向の一部に、該中間見付け片の室外側と室内側とを連通し、該中間見付け片の上端面まで開口した開口部を有し、
前記下枠には、前記障子が走行するレール部と、前記開口部を跨いだ状態で前記中間見付け片の上端面に沿って配置されることで該中間見付け片の上端面上で起立した中間延出片と、を有するアタッチメント部材が装着されると共に、前記中間延出片が前記障子に装着された気密材の当接面となることを特徴とする建具。
【請求項２】
請求項１に記載の建具において、
前記中間見付け片の上端面が、前記室外側見付け片及び前記室内側見付け片の上端面よりも低い位置にあることを特徴とする建具。
【請求項３】
請求項１又は２に記載の建具において、
前記中間延出片の上端面が、前記室内側見付け片の上端面と同一の高さ位置又は低い位置にあることを特徴とする建具。
【請求項４】
請求項１〜３のいずれか１項に記載の建具において、
前記開口部を開閉する排水弁部品を備え、
前記排水弁部品は、前記開口部を開閉する弁体と、該弁体を回動可能に支持するハウジングと、該ハウジングを前記中間見付け片に取り付けるための取付部と、を有し、
前記取付部は、前記開口部の側壁に対して該開口部の上部から挿入される溝部を有することを特徴とする建具。
【請求項５】
請求項１〜４のいずれか１項に記載の建具において、
前記室外側見付け片には、該室外側見付け片の室外側と室内側とを連通する排水孔が形成されており、
前記開口部が、前記排水孔と前記下枠における長手方向で重ならない位置に配置されていることを特徴とする建具。
【請求項６】
請求項１〜５のいずれか１項に記載の建具において、
前記レール部は、少なくとも前記室外側見付け片と前記中間見付け片との間に配置されると共に、該中間見付け片の上端面上に設けられた前記中間延出片と、前記室外側見付け片との間で前記障子を走行可能に支持しており、
前記アタッチメント部材は、前記レール部の下部から前記室外側見付け片に向かって見込み方向に延びた見込み片を有すると共に、該見込み片の先端と前記室外側見付け片との間には隙間が設けられていることを特徴とする建具。
【発明の詳細な説明】
【技術分野】
【０００１】
本発明は、障子を枠体でスライド可能に支持した建具に関する。
【背景技術】
【０００２】
住宅や店舗等の建物の窓では、障子を枠体でスライド可能に支持した引違い窓や片引き窓等の建具が用いられている。例えば特許文献１には、室内外の障子を引違い可能に設けた引違い窓が開示されている。この引違い窓の下枠は、見込み方向に並んだ３枚の見付け片を見込み面に有し、このうち、中間の見付け片を各障子に装着された気密材の当接面としている。さらに、各見付け片の間には、各障子を走行可能に支持するレール部を有したアタッチメント部材がそれぞれ装着されている。
【先行技術文献】
【特許文献】
【０００３】
【特許文献１】実公昭４３−２７３２２号公報
【発明の概要】
【発明が解決しようとする課題】
【０００４】
上記特許文献１の下枠は、室外側の見付け片と中間の見付け片のそれぞれに室外側と室内側とを連通する排水孔を設け、雨水等を室外に排水可能な構成となっている。
【０００５】
ところで、このように隣り合う２枚の見付け片のそれぞれに排水孔を加工する場合は、先ず室外側の見付け片に室外側から孔加工を施し、次にこの室外側の見付け片に形成した排水孔から工具を挿入して中間の見付け片に孔加工を施す必要がある。このため、特に中間の見付け片の排水孔を精度よく形成するためには、作業者の技能や熟練が必要となり、また高価な加工設備等も必要となる。
【０００６】
本発明は、上記従来技術の課題を考慮してなされたものであり、簡素な加工設備であっても精度よく且つ容易に加工を施すことができる建具を提供することを目的とする。
【課題を解決するための手段】
【０００７】
本発明に係る建具は、上枠、下枠及び左右の縦枠を有する枠体で障子をスライド可能に支持する建具であって、前記下枠は、見込み面の室外側位置で起立した室外側見付け片と、前記見込み面の室内側位置で起立した室内側見付け片と、前記見込み面の前記室外側見付け片と前記室内側見付け片との間で起立した少なくとも１つの中間見付け片と、を有し、前記中間見付け片は、その長手方向の一部に、該中間見付け片の室外側と室内側とを連通し、該中間見付け片の上端面まで開口した開口部を有し、前記下枠には、前記障子が走行するレール部と、前記開口部を跨いだ状態で前記中間見付け片の上端面に沿って配置されることで該中間見付け片の上端面上で起立した中間延出片と、を有するアタッチメント部材が装着されると共に、前記中間延出片が前記障子に装着された気密材の当接面となることを特徴とする。
【０００８】
このような構成によれば、下枠は、その中間見付け片の長手方向の一部に室外側と室内側とを連通する開口部を有する。このため、中間見付け片の室内側に浸入した雨水等が開口部を通して室外側へと円滑に排水される。この際、開口部は、中間見付け片の上端面まで開口した形状となっている。このため、開口部を形成する加工は、上方から下方に向かって中間見付け片の上端面を切除するように行うことができる。従って、例えば室内側見付け片の排水孔を通した工具で中間見付け片に排水孔を形成するような複雑な加工を行う必要がなく、開口部の加工が極めて容易となる。しかも開口部は、上から視認しながらの加工が可能であるため、特殊な工具を用いることなく、汎用的な工具を用いた簡素な加工設備であっても精度よく且つ容易に加工を施すことができる。また、下枠は、障子が走行するレール部を設けたアタッチメント部材に中間延出片を設けている。これにより、中間延出片の見付け面が障子の気密材に対する当接面となる。その結果、当該建具では、中間見付け片は、開口部によってその上端面の一部が切除された状態となるが、障子の気密材の当接面を中間延出片で確保できるため、室内外方向での高い気密性及び水密性を確保できる。
【０００９】
本発明に係る建具において、前記中間見付け片の上端面が、前記室外側見付け片及び前記室内側見付け片の上端面よりも低い位置にある構成としてもよい。そうすると、中間見付け片の起立高さが小さくなり、開口部の加工が一層容易となる。
【００１０】
本発明に係る建具において、前記中間延出片の上端面が、前記室内側見付け片の上端面と同一の高さ位置又は低い位置にある構成としてもよい。そうすると、仮に中間見付け片及び中間延出片の室内側空間に雨水等が貯留された場合であっても、この水は室内側見付け片を越えて室内へと流入せず、中間延出片を越えて室外側に排出される。
【００１１】
本発明に係る建具において、前記開口部を開閉する排水弁部品を備え、前記排水弁部品は、前記開口部を開閉する弁体と、該弁体を回動可能に支持するハウジングと、該ハウジングを前記中間見付け片に取り付けるための取付部と、を有し、前記取付部は、前記開口部の側壁に対して該開口部の上部から挿入される溝部を有する構成としてもよい。そうすると、排水弁部品は、上から視認しながら容易に開口部を塞ぐ位置に装着できる。
【００１２】
本発明に係る建具において、前記室外側見付け片には、該室外側見付け片の室外側と室内側とを連通する排水孔が形成されており、前記開口部が、前記排水孔と前記下枠における長手方向で重ならない位置に配置された構成としてもよい。そうすると、例えば排水孔から浸入した水が開口部を通過するまでの時間を稼ぐことができ、室内側への逆流方向での浸水を一層抑制できる。
【００１３】
本発明に係る建具において、前記レール部は、少なくとも前記室外側見付け片と前記中間見付け片との間に配置されると共に、該中間見付け片の上端面上に設けられた前記中間延出片と、前記室外側見付け片との間で前記障子を走行可能に支持しており、前記アタッチメント部材は、前記レール部の下部から前記室外側見付け片に向かって見込み方向に延びた見込み片を有すると共に、該見込み片の先端と前記室外側見付け片との間には隙間が設けられた構成としてもよい。そうすると、アタッチメント部材の上に落下した雨水等をこの隙間から排水孔へと円滑に導くことができる。
【発明の効果】
【００１４】
本発明によれば、簡素な加工設備であっても精度よく且つ容易に加工を施すことができる。
【図面の簡単な説明】
【００１５】
【図１】本発明の一実施形態に係る建具を室外側から見た姿図である。
【図２】図１に示す建具の縦断面図である。
【図３】図１に示す建具の横断面図である。
【図４】下枠及びその周辺部を拡大した縦断面図である。
【図５Ａ】下枠の室外側見付け片に排水孔を形成した状態での斜視説明図である。
【図５Ｂ】下枠の中間見付け片に開口部を形成した状態での斜視説明図である。
【図５Ｃ】下枠にアタッチメント部材を装着した状態での斜視説明図である。
【図６】変形例に係る建具の下枠及びその周辺部を拡大した縦断面図である。
【発明を実施するための形態】
【００１６】
以下、本発明に係る建具について好適な実施の形態を挙げ、添付の図面を参照しながら詳細に説明する。
【００１７】
図１は、本発明の一実施形態に係る建具１０を室外側から見た姿図である。図２は、図１に示す建具１０の縦断面図である。図３は、図１に示す建具１０の横断面図である。
【００１８】
図１〜図３に示すように、建具１０は、建物躯体の開口部に固定される枠体１２と、枠体１２にスライド可能に配設される左右一対の障子１４，１５とを備える。本実施形態では、障子１４，１５をスライドさせることで枠体１２の内側開口を開閉可能な引違い窓の建具１０を例示する。
【００１９】
枠体１２は、上枠１２ａと、下枠１２ｂと、左右の縦枠１２ｃ，１２ｄとを四周枠組みし、内側に矩形の開口を形成したものである。各枠１２ａ〜１２ｄは、アルミニウム等の金属、又は塩化ビニル樹脂（ＰＶＣ）等の樹脂の押出形材である。各枠１２ａ〜１２ｄは、金属の押出形材と樹脂の押出形材とを組み合わせた複合構造でもよい。
【００２０】
本出願において、見込み方向とは建具１０の室内外方向、つまり室内側から室外側に向かう方向又はその逆方向（図中に矢印Ｙで示す方向）をいい、見込み面とは見込み方向に沿って延在する面をいう。見付け方向とは見込み方向に直交する方向であり、上下方向に長尺な縦枠１２ｃ等の場合はその長手方向に直交する左右方向（図中に矢印Ｘで示す方向）をいい、左右方向に長尺な上枠１２ａ等の場合はその長手方向に直交する上下方向（図中に矢印Ｚで示す方向）をいう。見付け面とは見付け方向に沿った面をいう。枠状部材の内側（内周）とは、例えば枠体１２の枠内部分をいう。枠状部材の外側（外周）とは、例えば枠体１２の建物の躯体に固定される枠外部分をいう。
【００２１】
図２に示すように、上枠１２ａは、内側の見込み面１８から垂下され、見込み方向に並んだ室外側見付け片２０、中間見付け片２１及び室内側見付け片２２を有する。室外側の障子１４は、室外側見付け片２０と中間見付け片２１との間でガイドされ、気密材２４，２５によって室内外の気密性及び水密性が保持される。室内側の障子１５は、中間見付け片２１と室内側見付け片２２との間でガイドされ、気密材２６，２７によって室内外の気密性及び水密性が保持される。
【００２２】
下枠１２ｂは、内側の見込み面２８から起立し、見込み方向に並んだ室外側見付け片３０、中間見付け片３１及び室内側見付け片３２を有する。室外側見付け片３０は、見込み面２８の室外側端部で起立した板片である。室内側見付け片３２は、見込み面２８の室内側端部で起立した板片である。中間見付け片３１は、見込み面２８の室外側見付け片３０と室内側見付け片３２との間となる位置で起立した板片である。中間見付け片３１は、その上端面３１ａが室外側見付け片３０及び室内側見付け片３２の上端面よりも低い位置にある。つまり中間見付け片３１の起立高さは、室外側見付け片３０及び室内側見付け片３２の起立高さよりも低い。障子１４は、室外側見付け片３０と中間見付け片３１との間でガイドされ、障子１５は、中間見付け片３１と室内側見付け片３２との間でガイドされる。
【００２３】
下枠１２ｂは、室外側見付け片３０に排水孔３３を有し、中間見付け片３１に開口部３４を有する。排水孔３３は、室外側見付け片３０の室外側と室内側とを連通する貫通孔である。排水孔３３は、室外側見付け片３０の長手方向で適宜箇所に１箇所又は複数箇所設けられる。本実施形態では、排水孔３３は４箇所に設けられている（図１参照）。開口部３４は、中間見付け片３１の室外側と室内側とを連通した切欠き状の開口であり、中間見付け片３１の上端面３１ａまで開口している（図４及び図５Ｂ参照）。開口部３４は、中間見付け片３１の一部を上端面３１ａを含めて切除した形状である。開口部３４は、中間見付け片３１の長手方向で適宜箇所に１箇所又は複数箇所設けられる。本実施形態では、開口部３４は排水孔３３と下枠１２ｂにおける長手方向（Ｘ方向）で重なる位置にそれぞれ設けられており、合計４箇所に設けられている（図１参照）。
【００２４】
下枠１２ｂは、室外側見付け片３０と中間見付け片３１との間にアタッチメント部材３５が装着され、中間見付け片３１と室内側見付け片３２との間にアタッチメント部材３６が装着される。アタッチメント部材３５，３６の具体的な構成は後述する。
【００２５】
図３に示すように、一方の縦枠１２ｃは、内側の見込み面３７の中間及び室内側端部から突出した中間見付け片３８及び室内側見付け片３９を有する。閉じ位置にある障子１５は、中間見付け片３８と室内側見付け片３９との間に保持され、気密材４０によって室内外の気密性及び水密性が保持される。他方の縦枠１２ｄは、内側の見込み面４２の室外側端部及び中間から突出した室外側見付け片４４及び中間見付け片４５を有する。閉じ位置にある障子１４は、室外側見付け片４４と中間見付け片４５との間に保持され、気密材４６によって室内外の気密性及び水密性が保持される。
【００２６】
図１〜図３に示すように、室外側の障子１４は、框体４８の内側に面材５０を保持した構成である。框体４８は、面材５０の四周を囲む上框４８ａ、下框４８ｂ、召合せ框４８ｃ及び戸先框４８ｄを有する。本実施形態では複層ガラスで構成された面材５０を例示しているが、面材５０は１枚ガラスでもよい。室内側の障子１５は、障子１４と略同一構造となっているため、その構成要素については障子１４の構成要素と同一の参照符号を付して詳細な説明を省略する。図３に示すように、障子１４，１５の召合せ框４８ｃ，４８ｃ間には、互いの対向する見付け面から突出して相手側に当接する気密材４７，４９によって室内外の気密性及び水密性が保持される。
【００２７】
図４は、下枠１２ｂ及びその周辺部を拡大した縦断面図である。アタッチメント部材３５，３６は、金属又は樹脂の押出形材であり、下枠１２ｂの長手方向に延在している。
【００２８】
図４に示すように、室外側のアタッチメント部材３５は、レール部３５ａと、中間延出片３５ｂと、脚部３５ｃとを有する。
【００２９】
レール部３５ａは、障子１４の戸車５２が走行するレールである。中間延出片３５ｂは、上端面３１ａ上で起立する板片である。中間延出片３５ｂは、各開口部３４の上部開口を跨いだ状態で中間見付け片３１の上端面３１ａに沿って配置される。中間延出片３５ｂは、その室外側見付け面５４が障子１４の室内側見付け面に装着された気密材５５の当接面（タイト面）となり、その室内側見付け面５６が障子１５の室外側見付け面に装着された気密材５７の当接面（タイト面）となる。レール部３５ａの下部には、室内外方向に延びた見込み片３５ｄが設けられている。中間延出片３５ｂは、見込み片３５ｄの室内側端部に設けられている。中間延出片３５ｂの下部には、略Ｕ字状で下向きに開口した係合部３５ｅが設けられている。見込み片３５ｄの室外側先端は、室外側見付け片３０に向かって延びると共に、室外側見付け片３０との間に隙間Ｃ１を形成している。脚部３５ｃは、レール部３５ａの下部から下方に延びた後、室外側へと屈曲した略Ｌ字形状である。脚部３５ｃは、見込み方向に屈曲した部分が見込み面２８に着地すると共に、その先端が室外側見付け片３０の内面に形成された係合部３０ａに係合する。脚部３５ｃは、レール部３５ａの下部から下方に延びた部分に排水孔３５ｆが形成されている。排水孔３５ｆは、脚部３５ｃの室外側と室内側とを連通する貫通孔である。
【００３０】
中間延出片３５ｂは、その上端面３５ｇが室内側見付け片３２の上端面と同一の高さ位置又は低い位置にある。つまり中間見付け片３１と中間延出片３５ｂを合わせた起立高さは、室内側見付け片３２の起立高さと同一又は低い。本実施形態では、中間延出片３５ｂの上端面３５ｇは、室外側見付け片３０及び室内側見付け片３２の上端面と同一高さに設定されている。
【００３１】
アタッチメント部材３５は、脚部３５ｃを室外側見付け片３０と中間見付け片３１との間に挿入して見込み面２８に着地させると共に、脚部３５ｃの先端を室外側見付け片３０の係合部３０ａに係合させ、係合部３５ｅを中間見付け片３１の上端面３１ａに係合させる。これにより、アタッチメント部材３５は、下枠１２ｂにがたつきなく安定して装着される。
【００３２】
室内側のアタッチメント部材３６は、レール部３６ａと、脚部３６ｂとを有する。
【００３３】
レール部３６ａは、障子１５の戸車５８が走行するレールである。レール部３６ａの下部には、室内外方向に延びた見込み片３６ｃが設けられている。見込み片３６ｃの室内側端部には、略Ｕ字状で横向きに開口した係合部３６ｄが設けられている。見込み片３６ｃの室外側先端は、中間見付け片３１に向かって延びると共に、中間見付け片３１及び中間延出片３５ｂとの間に隙間Ｃ２を形成している。脚部３６ｂは、レール部３６ａの下部から下方に延びた後、室外側へと屈曲した略Ｌ字形状である。脚部３６ｂは、見込み方向に屈曲した部分が見込み面２８に着地すると共に、その先端が中間見付け片３１の室内側面に形成された係合部３１ｂに係合する。脚部３６ｂは、レール部３６ａの下部から下方に延びた部分に排水孔３６ｅが形成されている。排水孔３６ｅは、脚部３６ｂの室外側と室内側とを連通する貫通孔である。
【００３４】
アタッチメント部材３６は、脚部３６ｂを中間見付け片３１と室内側見付け片３２の間に挿入して見込み面２８に着地させると共に、脚部３６ｂの先端を中間見付け片３１の係合部３１ｂに係合させ、係合部３６ｄを室内側見付け片３２の突片３２ａに係合させる。これにより、アタッチメント部材３６は、下枠１２ｂにがたつきなく安定して装着される。
【００３５】
なお、下枠１２ｂは、室外側見付け片３０の内面が障子１４の室外側見付け面に装着された気密材５９の当接面（タイト面）となり、室内側見付け片３２の内面が障子１５の室内側見付け面に装着された気密材６０の当接面（タイト面）となる。障子１４は、気密材５５，５９によって室内外の気密性及び水密性が保持され、障子１５は、気密材５７，６０によって室内外の気密性及び水密性が保持される。
【００３６】
図４に示すように、下枠１２ｂは、室外側見付け片３０の排水孔３３に排水キャップ６１が装着され、中間見付け片３１の開口部３４に排水弁部品６２が装着される。
【００３７】
排水キャップ６１は、当該建具１０の外観面に露出する排水孔３３の外観品質を高めるための樹脂部品である。排水キャップ６１は、排水孔３３の内周端面を覆い隠すと共に、排水孔３３を閉塞しない筒状部品である。排水キャップ６１は、例えば排水孔３３に室外側から嵌挿されて装着される。排水キャップ６１は、排水弁部品６２のような弁体を有する構成であってもよい。排水キャップ６１は、省略されてもよい。
【００３８】
排水弁部品６２は、開口部３４を開閉する部品である。排水弁部品６２は、開口部３４を開閉する弁体６２ａと、弁体６２ａを回動可能に支持するハウジング６２ｂと、ハウジング６２ｂを中間見付け片３１に取り付けるための取付部６２ｃとを有する。ハウジング６２ｂには、開口部３４を連通させる流路が形成されると共に、この流路が弁体６２ａによって開閉される。弁体６２ａは、室内側から室外側への排水を許容し、室外側から室内側への水の浸入は堰き止める構成である。取付部６２ｃは、ハウジング６２ｂの室内側位置に下枠１２ｂにおける長手方向（Ｘ方向）で一対設けられ、上下方向に延びた溝部を有する（図５Ｂ参照）。
【００３９】
次に、このような建具１０の組立方法の一例を説明する。図５Ａ〜図５Ｃは、下枠１２ｂに対する作業工程の一例を示す斜視説明図である。
【００４０】
当該建具１０を製造する際は、先ず、各枠１２ａ〜１２ｄを押出成形し、これら各枠１２ａ〜１２ｄ間を接合して枠体１２を形成する。この段階では下枠１２ｂは、排水孔３３及び開口部３４が形成されていない。次に、図５Ａに示すように、下枠１２ｂの室外側見付け片３０に対し、例えば室外側から所定の工具を用いて孔加工を行い、排水孔３３を形成する。続いて、図５Ｂに示すように、下枠１２ｂの中間見付け片３１に対し、例えば上から下に向かって所定の工具を用いて切除加工を行い、開口部３４を形成する。
【００４１】
次いで、図５Ｂに示すように、排水孔３３に排水キャップ６１を装着し、開口部３４に排水弁部品６２を装着する。排水キャップ６１は、排水孔３３に対して室外側から嵌め込めばよい。排水弁部品６２は、開口部３４に対し、左右の溝部である取付部６２ｃをそれぞれ開口部３４の左右の側壁３４ａに対して上部から挿入すればよい。つまり、当該建具１０では、下枠１２ｂの外側に装着される排水キャップ６１だけでなく、下枠１２ｂの内側に配置される排水弁部品６２についても上から視認しながら容易に装着でき、組立作業が容易となる。
【００４２】
次いで、図５Ｃに示すように、各アタッチメント部材３５，３６を下枠１２ｂにそれぞれ装着する。これにより、枠体１２の組立作業が完了する。そこで、別途組み立てておいた障子１４，１５を枠体１２に装着することで、建具１０の組み立てが完了する。
【００４３】
以上のように、本実施形態に係る建具１０では、下枠１２ｂは、その中間見付け片３１の長手方向の一部に室外側と室内側とを連通する開口部３４を有する。このため、中間見付け片３１の室内側に浸入した雨水等を開口部３４を通して室外側へと円滑に排水できる。この際、開口部３４は、中間見付け片３１の上端面３１ａまで開口した形状となっている。このため、開口部３４を形成する加工は、上方から下方に向かって中間見付け片３１の上端面３１ａを切除するように行うことができる。従って、上記した従来技術のように、例えば室外側見付け片３０の排水孔３３を通した工具で中間見付け片３１に排水孔を形成する必要がなく、開口部３４の加工が極めて容易となる。しかも開口部３４は、上から視認しながらの加工が可能であるため、特殊な工具を用いることなく、汎用的な工具を用いた簡素な加工設備であっても精度よく且つ容易に加工を施すことができる。
【００４４】
下枠１２ｂでは、障子１４が走行するレール部３５ａを設けたアタッチメント部材３５に中間延出片３５ｂが設けられている。中間延出片３５ｂは、開口部３４を跨いだ状態で中間見付け片３１の上端面３１ａに沿って配置されることで、この上端面３１ａ上で起立する。これにより、中間延出片３５ｂの各見付け面５４，５６がそれぞれ中間見付け片３１に代わる障子１４，１５の気密材５５，５７の当接面となる。すなわち、当該建具１０では、中間見付け片３１は、開口部３４によってその上端面３１ａの一部が切除された状態となるが、気密材５５，５７の当接面を中間延出片３５ｂに確保でき、室内外方向での高い気密性及び水密性を確保できる。
【００４５】
当該建具１０では、例えば室外側から雨水等を受けた場合、この雨水は、障子１４，１５の下部からそれぞれ下枠１２ｂに落下する。そうすると、この雨水等は、アタッチメント部材３６の排水孔３６ｅ、中間見付け片３１の排水弁部品６２（開口部３４）、アタッチメント部材３５の排水孔３５ｆ、室外側見付け片３０の排水キャップ６１（排水孔３３）を通して室外へと円滑に排出される。この際、当該建具１０は、アタッチメント部材３５の見込み片３５ｄと室外側見付け片３０との間に隙間Ｃ１を設けているため、アタッチメント部材３５の上に落下した雨水等を隙間Ｃ１から排水孔３３へと円滑に導くことができる。同様に、当該建具１０は、アタッチメント部材３６の見込み片３６ｃと中間見付け片３１及び中間延出片３５ｂとの間に隙間Ｃ２を設けているため、アタッチメント部材３６に落下した雨水等を隙間Ｃ２から開口部３４へと円滑に導くことができる。
【００４６】
当該建具１０では、下枠１２ｂの中間見付け片３１の上端面３１ａが、室外側見付け片３０及び室内側見付け片３２の上端面よりも低い位置にある。このため、中間見付け片３１の起立高さが小さくなり、開口部３４の加工が一層容易となる。また、当該建具１０では、中間延出片３５ｂの上端面３５ｇが室内側見付け片３２の上端面と同一の高さ位置又は低い位置にある。このため、仮に中間見付け片３１及び中間延出片３５ｂの室内側空間に雨水等が貯留された場合であっても、この水は室内側見付け片３２を越えて室内へと流入せず、中間延出片３５ｂを越えて室外側に排出されることになる。
【００４７】
ところで、開口部３４は、建具１０を見込み方向で見た場合に排水孔３３と重ならない位置に設けられてもよい。つまり開口部３４は、排水孔３３に対して下枠１２ｂにおける長手方向（Ｘ方向）で位置ずれした位置に設けられてもよい（図１中に２点鎖線で示す開口部３４参照）。そうすると、開口部３４から排水孔３３までの水の流路が延長されるため、例えば排水孔３３から浸入した水が開口部３４を通過するまでの時間を稼ぐことができ、室内側への逆流方向での浸水を一層抑制できる。換言すれば、当該建具１０は、開口部３４を見込み方向ではなく見付け方向から加工することができるため、開口部３４を所望の位置に自由に形成できる。
【００４８】
図６は、変形例に係る建具１０Ａの下枠１２ｂ及びその周辺部を拡大した縦断面図である。
【００４９】
図６に示すように、建具１０Ａは、障子１４，１５間に障子７０を追加した３枚引き窓である。建具１０Ａは、室外側見付け片３０と室内側見付け片３２との間に２枚の中間見付け片３１，３１を有し、これら中間見付け片３１，３１間に障子７０を配置した構成である。２枚の中間見付け片３１，３１には、それぞれ開口部３４が形成されると共に、それぞれの開口部３４には排水弁部品６２が装着されている。２枚の中間見付け片３１，３１の間には、アタッチメント部材７２が装着されている。障子７０及びアタッチメント部材７２は、それぞれ上記した障子１４及びアタッチメント部材３５と略同一構造となっているため、その構成要素については障子１４の構成要素と同一の参照符号を付して詳細な説明を省略する。
【００５０】
従って、このような建具１０Ａにおいても、２枚の中間見付け片３１，３１にそれぞれ開口部３４を形成する加工は、上方から下方に向かって中間見付け片３１の上端面３１ａを切除するように行うことができ、高い作業効率が得られる。特に、建具１０Ａのように中間見付け片３１が複数枚並設された構成では、上記した従来技術のように、室外側見付け片３０の排水孔３３を通した工具で各中間見付け片３１に排水孔を形成することが一層困難である。つまり建具１０Ａは、上記した建具１０と比べて、開口部３４と、中間延出片３５ｂを有するアタッチメント部材３５，７２を設けたことによる作業効率や作業精度の上昇効果等が一層顕著となる。
【００５１】
なお、本発明は、上記した実施形態に限定されるものではなく、本発明の主旨を逸脱しない範囲で自由に変更できることは勿論である。
【００５２】
上記では、室外側のアタッチメント部材３５に中間延出片３５ｂを設けた構成を例示したが、中間延出片３５ｂは室内側のアタッチメント部材３６に設けてもよい。但し、隙間Ｃ１，Ｃ２は、それぞれレール部３５ａ，３６ａの室外側に配置された方が排水構造上好ましい。このため、中間延出片３５ｂは、室外側のアタッチメント部材３５に設け、各アタッチメント部材３５，３６の見込み片３５ｄ，３６ｃの室外側先端の先に隙間Ｃ１，Ｃ２を形成可能であることが好ましい。
【００５３】
上記では、２枚又は３枚の障子１４，１５，７０を設けた建具１０，１０Ａを例示したが、建具１０，１０Ａは、障子１４，１５，７０の１枚以上が枠体１２に嵌め殺された構成でもよい。例えば建具１０は、障子１４，１５の一方が枠体１２に嵌め殺され、他方のみがスライドする片引き窓等、他の構造のスライディング窓でもよい。また、障子の設置枚数は適宜変更可能であり、障子を４枚以上とした場合は、図６に示した建具１０Ａのように、中間見付け片３１、障子７０及びアタッチメント部材７２を適宜追加設置した構成とすればよい。なお、建具１０を片引き窓で構成する場合、スライドしない側は障子の嵌め殺し構造ではなく、面材５０を枠体１２で直接的に支持した構成であってもよく、建具１０Ａについても同様な構成としてもよい。この場合、例えば下枠１２ｂの室内側見付け片３２は下枠１２ｂに装着される押縁構造であってもよい。
【符号の説明】
【００５４】
１０，１０Ａ  建具、１２  枠体、１２ａ  上枠、１２ｂ  下枠、１２ｃ，１２ｄ  縦枠、１４，１５，７０  障子、１８，２８，３７，４２  見込み面、２０，３０，４４  室外側見付け片、２１，３１，３８，４５  中間見付け片、２２，３２，３９  室内側見付け片、２４〜２７，４０，４６，４７，４９，５５，５７，５９，６０  気密材、３１ａ，３５ｇ  上端面、３３，３５ｆ，３６ｅ  排水孔、３４  開口部、３５，３６，７２  アタッチメント部材、３５ａ，３６ａ  レール部、３５ｂ  中間延出片、３５ｃ，３６ｂ  脚部、３５ｄ，３６ｃ  見込み片、６１  排水キャップ、６２  排水弁部品、Ｃ１，Ｃ２  隙間
【図１】
2019082042.tif 000003
【図２】
2019082042.tif 000004
【図３】
2019082042.tif 000005
【図４】
2019082042.tif 000006
【図５Ａ】
2019082042.tif 000007
【図５Ｂ】
2019082042.tif 000008
【図５Ｃ】
2019082042.tif 000009
【図６】
2019082042.tif 000010